【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
少なくとも１つのスポーツ用ボードを収容し運搬するための調整可能なキャリーバッグであって、前記調整可能なキャリーバッグは、
一対の端部セクションであって、その接続端部で解放可能に一つに接続され前記調整可能なキャリーバッグの内部空間を形成して少なくとも１つのスポーツ用ボードを中に収容するように構成され、各々の前記端部セクションは、前記内部空間へのアクセスを提供する第１のアクセス開口部を有し、前記端部セクションの前記接続端部には、前記第１のアクセス開口部によって提供される前記アクセスとは異なる前記内部空間へのアクセスを提供する第２のアクセス開口部を画定する閉じた周縁部を有し、前記第１のアクセス開口部は、少なくとも１つのスポーツ用ボードを中に収容するための前記内部空間へのアクセスを提供するように開状態に構成され、かつ前記端部セクションを解放可能に一つに接続したときに前記バッグが少なくとも１つのスポーツ用ボードを完全に包み込んでその中に確実に保持するように閉状態に構成される、端部セクションと、
連結構造部であって、各々の前記端部セクションの前記閉じた周縁部から延びて前記端部セクションを解放可能に一つに連結し、それによって前記第２のアクセス開口部が互いに概ね同列になり、かつ前記端部セクションの前記閉じた周縁部および前記連結構造部が前記第１のアクセス開口部が開状態と閉状態の両方で前記調整可能なキャリーバッグの前記内部空間の所定領域を取り囲むようになる、連結構造部と
を備える、調整可能なキャリーバッグ。
【請求項２】
前記端部セクションを解放可能に一つに接続したとき、前記端部セクションの前記閉じた周縁部および連結構造部は、前記第１のアクセス開口部が前記開状態と閉状態の両方で前記調整可能なキャリーバッグの前記内部空間の前記所定領域を３６０度完全に取り囲む、請求項１に記載の調整可能なキャリーバッグ。
【請求項３】
前記端部セクションの前記接続端部どうしの間を解放可能に接続して前記調整可能なキャリーバッグの長さを増大するように構成された少なくとも１つの拡張セクションをさらに備え、
前記少なくとも１つの拡張セクションは、その対向端部にそれぞれの閉じた周縁部を有し、該周縁部は、開口部を画定し、前記それぞれの閉じた周縁部から延びる連結構造部を有し、
前記少なくとも１つの拡張セクションの前記連結構造部は、前記端部セクションの前記連結構造部に解放可能に接続し、前記端部セクションと前記少なくとも１つの拡張セクションとを解放可能に一つに連結して前記調整可能なキャリーバッグの長さを増大するように構成され、前記少なくとも１つの拡張セクションの前記開口部は前記端部セクションの前記第２のアクセス開口部と実質的に同列に配置される、請求項１に記載の調整可能なキャリーバッグ。
【請求項４】
各々の前記端部セクションは、下パネル、および前記下パネルから延びる少なくとも１つの側部パネルを含む複数のパネルを備えて前記内部空間の一部を形成し、少なくとも１つのクロスメンバーが前記パネルのうちの少なくとも１つに接続し、前記少なくとも１つのクロスメンバーと前記パネルのうちの少なくとも１つとで前記閉じた周縁部の一部を形成する、請求項１に記載の調整可能なキャリーバッグ。
【請求項５】
各々の前記端部セクションに対して、前記少なくとも１つの側部パネルは、前記下パネルから延びる２つの側部パネルを備え、前記クロスメンバーは、前記側部パネルに接続されかつ該側部パネルどうしの間に延び、前記閉じた周縁部は、前記少なくとも１つのクロスメンバー、前記２つの側部パネルおよび前記下パネルによって画定される、請求項４に記載の調整可能なキャリーバッグ。
【請求項６】
各々の前記端部セクションに対して、複数の縁を有する閉鎖パネルをさらに備え、
各々の前記端部セクションに対して、前記閉鎖パネルは、縁のうちの１つに沿って一方の前記側部パネルの縁に接続し、前記閉鎖パネルの残りの縁、もう一方の前記側部パネルの縁および前記クロスメンバーの縁は、互いに選択的に係合し解放するように構成された接続部材を備えて前記第１のアクセス開口部を前記閉状態および開状態のそれぞれの状態にする、請求項５に記載の調整可能なキャリーバッグ。
【請求項７】
各々の前記端部セクションに対して、複数の縁を有する閉鎖パネルをさらに備え、
各々の前記端部セクションに対して、前記閉鎖パネルは、前記クロスメンバーの１つの縁に沿って接続し、前記閉鎖パネルの残りの縁および前記２つの側部パネルの縁は、互いに選択的に係合し解放するように構成された接続部材を備えて前記第１のアクセス開口部を前記閉状態および開状態のそれぞれの状態にする、請求項５に記載の調整可能なキャリーバッグ。
【請求項８】
各々の前記端部セクションの前記複数のパネルは、上パネルをさらに備え、
前記少なくとも１つのクロスメンバーは、前記上パネルと下パネルとの間に接続されこの間に延び、
前記複数のパネルは、各々の前記端部セクションに対して複数の縁を有する閉鎖パネルをさらに備え、
前記閉鎖パネルは、この閉鎖パネルの１つの縁に沿って前記下パネルの縁に接続され、前記閉鎖パネルの残りの縁および各々の前記少なくとも１つの側部パネルの縁、前記上パネルおよび前記クロスメンバーは、互いに選択的に係合し解放するように構成された接続部材を備えて前記第１のアクセス開口部を前記閉状態および開状態のそれぞれの状態にする、請求項４に記載の調整可能なキャリーバッグ。
【請求項９】
各々の前記端部セクションに対して、前記少なくとも１つの側部パネルは一対の側部パネルを備え、
前記複数のパネルは、前記側部パネルのうちの一方に接続した上パネルをさらに備え、前記少なくとも１つのクロスメンバーは、前記上パネルともう一方の前記側部パネルとの間に接続されこの間に延び、
前記複数のパネルは、各々の前記端部セクションに対して複数の縁を有する閉鎖パネルをさらに備え、前記閉鎖パネルは、この閉鎖パネルの１つの縁で前記上パネルの縁に接続され、前記閉鎖パネルの残りの縁ならびにもう一方の前記側部パネルおよび前記クロスメンバーの各々の縁は、互いに選択的に係合し解放するように構成された接続部材を備えて前記第１のアクセス開口部を前記閉状態および開状態のそれぞれの状態にする、請求項４に記載の調整可能なキャリーバッグ。
【請求項１０】
前記端部セクションの前記接続端部どうしの間を解放可能に接続して調前記整可能なキャリーバッグの長さを増大するように構成された少なくとも１つの拡張セクションをさらに備え、
前記拡張セクションは、
下部と、
前記下部から延びて互いに距離をおいて離れた関係にあって前記拡張セクションの内部空間を画定する対向側部と、
前記拡張セクションの前記内部空間へのアクセスを提供するために、閉鎖パネルの１つの縁に沿って前記側部のうちの一方の縁に接続する閉鎖パネルと、
を有し、
前記側部は、開口部を画定するそれぞれの閉じた周縁部を形成し、連結構造部を備え、該連結構造部は、前記それぞれの閉じた周縁部から延び、前記端部セクションの前記連結構造部に解放可能に接続し、前記端部セクションと前記拡張セクションとを解放可能に一つに連結して前記バッグの長さを増大するように構成され、前記拡張セクションの前記開口部は前記端部セクションの前記アクセス開口部と実質的に同列に配置される、請求項４に記載の調整可能なキャリーバッグ。
【請求項１１】
各々の前記端部セクションに対して、
前記少なくとも１つの側部パネルは、前記下パネルから延びる２つの側部パネルを備え、
前記少なくとも１つのクロスメンバーは一対のクロスメンバーを備え、
前記一対のクロスメンバーのうちの一方のクロスメンバーは、その一端部で前記側部パネルのうちの１つに接続し、
前記一対のクロスメンバーのうちの他方のクロスメンバーは、その一端部で前記下パネルに接続してその他端部で前記一方のクロスメンバーの他端部に接続し、
前記閉じた周縁部は、前記下パネル、前記１つの側部パネル、および前記一対のクロスメンバーによって画定される、請求項４に記載の調整可能なキャリーバッグ。
【請求項１２】
各々の前記端部セクションに対して、
前記側部パネルのうちの一方の側部パネルは、前記端部セクションの遠位端から、前記接続端部に相当する前記端部セクションの近位端へ下向きに先細りし、前記一方の側部パネルは前記下パネルの特定箇所で終わり、前記一方の側部パネルの終点から、前記下パネルに接続する１つの端部を有する前記クロスメンバーまで延びる前記下パネルの縁を露出し、それによって前記端部セクションの側部から前記内部空間の一部へのアクセスを提供する切り取り部を形成する、請求項１１に記載の調整可能なキャリーバッグ。
【請求項１３】
各々の前記端部セクションが可撓性の材料からなる、請求項１に記載の調整可能なキャリーバッグ。
【請求項１４】
前記少なくとも１つの拡張セクションが複数の拡張セクションからなる、請求項３に記載の調整可能なキャリーバッグ。
【請求項１５】
前記クロスメンバーが、前記２つの側部パネルの上部に接続されており、かつ、これらの２つの側部パネルの上部の間に延びており、前記閉じた周縁部が、前記クロスメンバーと、前記下パネルと、前記側部パネルとによって画成される、請求項４に記載の調整可能なキャリーバッグ。
【請求項１６】
内部空間内で一または複数の物を運搬するための調整可能なキャリーバッグであって、
包囲部と、連結構造部と、を備え、
前記包囲部は２つの別々の端部セクションを備え、各々の端部セクションが、接続端部と、前記内部空間へのアクセスを可能にし、前記内部空間から前記一または複数の物の出し入れを可能にするための、前記包囲部の長さに沿って延びる開口部と、を備え、各々の前記端部セクションが閉鎖パネルを有し、この閉鎖パネルは、前記開口部を通して前記内部空間にアクセス可能にする開状態と、前記開口部の少なくとも一部を通して前記内部空間にアクセスすることを妨げるように前記開口部の少なくとも一部をブロックする閉状態との間で可動であり、各々の前記端部セクションの前記閉鎖パネルが、この閉鎖パネルが前記閉状態にある時にこの閉鎖パネルを対応する端部セクションに固定するための閉鎖装置を有し、
連結構造部は、各々の端部セクションの前記接続端部の全周縁部から延び、かつ実質的にこの全周縁部に沿って延び、前記連結構造部は更に、前記端部セクションのうち一方の端部セクションの接続端部から延び、前記調整可能なキャリーバッグを組み立てるために前記端部セクションの他方の端部セクションの接続端部から延びる前記連結構造部に解放可能に接続するように構成された、調整可能なキャリーバッグ。
【請求項１７】
前記包囲部が更に、前記端部セクションの各々の接続端部の間に解放可能に接続して前記包囲部の長さを選択的に調整するための少なくとも一つの中間セクションを備え、
前記少なくとも一つの中間セクションが、前記端部セクションの一方の端部セクションの接続端部から延びる前記連結構造部に解放可能に接続するように構成された連結構造部を備える接続端部を有し、かつ、前記端部セクションの他方の端部セクションの接続端部から延びる前記連結構造部に解放可能に接続するための連結構造部を備える別の接続端部を有する、請求項１６に記載の調整可能なキャリーバッグ。
【請求項１８】
前記少なくとも一つの中間セクションが複数の中間セクションからなる、請求項１７に記載の調整可能なキャリーバッグ。
【請求項１９】
前記包囲部が可撓性の材料からなる、請求項１６に記載の調整可能なキャリーバッグ。
【請求項２０】
各々の前記端部セクションが、下パネルと、前記下パネルから延びる一対の側部パネルと、前記一対の側部パネルの間に延びるクロスメンバーと、を備え、
各々の前記端部セクションのために、前記周縁部が、前記クロスメンバーと、前記下パネルと、前記一対の側部パネルとによって画定される閉じた周縁部を有する、請求項１６に記載の調整可能なキャリーバッグ。
【請求項２１】
前記端部セクションおよび前記少なくとも一つの中間セクションが、前記連結構造部によって互いに解放可能に接続するように構成されており、これにより、前記閉鎖パネルが、前記端部セクションのいずれからも前記少なくとも一つの中間セクションを離すことなく前記開状態と閉状態との間で互いに対して独立して可動である、請求項１７に記載の調整可能なキャリーバッグ。